(57)【要約】【課題】  表示内容の変更作業の手間と、表示のための消費電力量とを低減できる情報表示装置を提供。【解決手段】  表示装置３は、図（ｂ）に示すように、書き込まれた内容を電源供給なしに保持可能な表示媒体である電子ペーパ３５，電子ペーパ３５に画像を書き込む露光器３７，電子ペーパ３５の書込部３５ａ（図（ｃ）参照）を移動させるための駆動ローラ４７及び従動ローラ４９と、表示装置３を制御するコントローラ５１とを備えている。尚、電子ペーパ３５は、当てた光の色に応じて色が変わり、紫外線を照射すると元の色（褐色）に戻るフォトクロミック材料で構成される。また、露光器３７は、紫外線照射器３９，赤色光照射器４１，青色光照射器４３，緑色光照射器４５から構成される。そして、駆動ローラ４７を回転して電子ペーパ３５を移動させながら、紫外線，赤色光，青色光，緑色光を照射することによって、書込部３５ａに画像を書き込む。【選択図】図２
2005168826.tif 000002
【特許請求の範囲】
【請求項１】
遊技場等の施設に設けられ、該施設内の情報を表示する情報表示装置であって、
不揮発性表示媒体である電子ペーパと、
当該装置が表示すべき表示情報が入力されると、該表示情報を前記電子ペーパに書き込む書込手段と、
を備えることを特徴とする情報表示装置。
【請求項２】
前記書込手段による書き込みを行う時に、前記電子ペーパが配置される位置を第１位置とし、
前記書込手段により書き込まれた表示情報を遊技者に対して提示する時に、前記電子ペーパが配置される位置を第２位置とし、
前記電子ペーパを、前記第１位置と前記第２位置との間で移動可能に支持する第１支持手段を備える、
ことを特徴とする請求項１に記載の情報表示装置。
【請求項３】
当該装置が表示すべき表示情報が予め書き込まれた記録媒体を備え、
前記記録媒体に書き込まれた表示情報を遊技者に対して提示する時に、前記記録媒体が配置される位置を第３位置とし、
前記記録媒体に書き込まれた表示情報を遊技者に対して非提示にする時に、前記記録媒体が配置される位置を第４位置とし、
前記記録媒体を、前記第３位置と前記第４位置との間で移動可能に支持する第２支持手段を備える、
を備えることを特徴とする請求項２に記載の情報表示装置。
【請求項４】
当該装置が表示すべき表示情報が予め書き込まれ、且つ電子ペーパと一体に移動可能となるように連結された記録媒体を備え、
前記書込手段により書き込まれた表示情報を遊技者に対して提示する時に、前記電子ペーパが配置される位置を第２位置とし、
前記記録媒体に書き込まれた表示情報を遊技者に対して提示する時に、前記記録媒体が配置される位置を第３位置とし、
前記電子ペーパを前記第２位置に移動可能であるとともに、前記記録媒体を前記第３位置に移動可能であるように、前記電子ペーパ及び前記記録媒体を支持する第３支持手段を備える、
ことを特徴とする請求項１に記載の情報表示装置。
【請求項５】
前記電子ペーパは、前記表示情報が書き込まれる書込表面がフォトクロミック材料で構成されたものであり、
前記書込手段は、
前記書込表面に紫外線を照射することにより、前記電子ペーパに書き込まれた表示情報を消去する紫外線照射手段と、
入力された表示情報に対応する可視光を前記書込表面に照射することにより、前記電子ペーパに該表示情報を書き込む可視光照射手段と、を備え、
前記書込手段は、前記紫外線照射手段を動作させた後に前記可視光照射手段を動作させることにより、前記表示情報を書き込む、
ことを特徴とする請求項１〜請求項４何れかに記載の情報表示装置。
【請求項６】
前記書込表面上には、可視光を透過する透光部材が配置される、
ことを特徴とする請求項５に記載の情報表示装置。
【請求項７】
前記透光部材は、太陽或いは蛍光灯から照射される紫外線を遮断する特性を有する、
ことを特徴とする請求項６に記載の情報表示装置。
【請求項８】
前記透光部材は、前記書込表面から着脱可能である、
ことを特徴とする請求項６または請求項７に記載の情報表示装置。
【請求項９】
複数の遊技機を備えた遊技機島であって、
請求項１〜請求項８何れかに記載の情報表示装置を備えることを特徴とする遊技機島。
【請求項１０】
前記書込手段は、当該遊技機島の内部に配置される、
ことを特徴とする請求項９に記載の遊技機島。
【請求項１１】
前記情報表示装置は、当該遊技機島に備えられた遊技機１台毎に、該遊技機の遊技者が当該装置の表示内容を視認可能な位置に設置される、
ことを特徴とする請求項９または請求項１０に記載の遊技機島。
【請求項１２】
前記情報表示装置は、
当該遊技機島に備えられた遊技機のそれぞれに対応して表示情報が書き込まれる前記電子ペーパを、前記遊技機毎に備え、
前記書込手段による書き込みを行う時に、該電子ペーパが配置される位置を第５位置とし、
前記遊技機の遊技者に対して情報を提示する時に該遊技機に対応した電子ペーパのそれぞれが配置される位置と、前記第５位置との間で、該電子ペーパが移動可能に、該電子ペーパのそれぞれを支持する第４支持手段を備える、
ことを特徴とする請求項９または請求項１０に記載の遊技機島。
【請求項１３】
前記遊技機に対応した前記電子ペーパのそれぞれは、その他の前記遊技機に対応した電子ペーパの全てと一体に移動可能となるように連結される、
ことを特徴とする請求項１２に記載の遊技機島。
【発明の詳細な説明】
【技術分野】
【０００１】
本発明は、遊技場等の施設内の情報を表示する技術に関する。
【背景技術】
【０００２】
従来より、パチンコ機やスロット機等の遊技機が設置される遊技場では、遊技場で行われるイベント内容や、遊技中の遊技客に飲料等を有料で提供するワゴンサービスのメニュー等を表示して、その内容を遊技客に周知させることがよく行われている。
【０００３】
この表示方法としては、用紙等の印刷媒体に表示内容を印刷し、この印刷媒体を遊技場内に貼り付ける、或いは、液晶ディスプレイ（ＬＣＤ）やＣＲＴ等のカラー表示装置に表示させる、といった方法がある。
【０００４】
尚、上述したように、このような表示方法は一般的であり、公知・公用の技術に該当するため、ここでは、特に先行技術文献は開示しない。
【発明の開示】
【発明が解決しようとする課題】
【０００５】
しかし、表示内容を印刷した印刷媒体を貼り付ける方法を用いると、表示内容に変更がある場合には、新しい表示内容を印刷媒体に新たに印刷し、再度この印刷媒体を貼り直すという作業を行う必要がある。特に、遊技場では、遊技客に表示内容を周知させるために、この印刷媒体を遊技機１台毎に貼り付ける場合がある。このため、何百台もの遊技機が設置される遊技場においては、この表示内容の変更作業が、非常に手間が掛かるものになるという問題があった。
【０００６】
一方、カラー表示装置に表示させる方法を用いると、表示内容を表す画像データをカラー表示装置に入力させることにより表示内容を変更することができるため、変更作業の手間を低減することができる。しかし、カラー表示装置は表示するために発光するので、表示のための電力を消費する。特に、何百台もの遊技機が設置される遊技場において、遊技客に表示内容を周知させるために遊技機１台毎にカラー表示装置を設置すると、カラー表示装置のために消費される電力量増加が無視できないほど大きくなるという問題があった。
【０００７】
本発明は、こうした問題に鑑みなされたものであり、表示内容の変更作業の手間と、表示のための消費電力量とを低減できる情報表示装置及び遊技機島を提供することを目的とする。
【課題を解決するための手段】
【０００８】
上記目的を達成するためになされた請求項１に記載の情報表示装置は、不揮発性表示媒体である電子ペーパと、当該装置が表示すべき表示情報が入力されると、この表示情報を電子ペーパに書き込む書込手段と、を備えることを特徴とする。
【０００９】
このように構成された情報表示装置によれば、書込手段は、当該装置が表示すべき表示情報が入力されると、この表示情報を電子ペーパに書き込む。
即ち、書込手段に表示情報を入力する手間のみで表示内容を変更することができる。
【００１０】
さらに、電子ペーパは、電源の供給をすることなしに、書き込まれた内容を保持可能な表示媒体（不揮発性表示媒体）であるので、書込手段が表示情報を電子ペーパに書き込んだ後には、この内容を保持するための電力を必要としない。つまり、表示情報を表示している間の電力が不要となる。
【００１１】
従って、本発明の情報表示装置によれば、表示内容の変更作業の手間と、情報を表示するための消費電力量とを低減することができる。
尚、請求項１に記載の情報表示装置において、電子ペーパを、遊技者に対して情報を提示するための位置に常時固定しておき、電子ペーパに書き込みを行う際には、書込手段が電子ペーパに書き込みを行う位置まで移動するようにしてもよい。しかし、紙のように薄い電子ペーパに比べて書込手段は重い。そこで、請求項２記載のように、書込手段による書き込みを行う時に、電子ペーパが配置される位置を第１位置とし、書込手段により書き込まれた表示情報を遊技者に対して提示する時に、電子ペーパが配置される位置を第２位置とし、電子ペーパを、第１位置と第２位置との間で移動可能に支持する第１支持手段を備えるようにするとよい。
【００１２】
このように構成された情報表示装置では、書込手段による書き込みを行う時には電子ペーパを第１位置に移動し、遊技者に対して情報を提示する時には電子ペーパを第２位置に移動するように第１支持手段を動作させればよい。
【００１３】
即ち、重量の重い書込手段の配置を固定して、重量の軽い電子ペーパを移動させるので、移動させるために必要な電力を低減することができる。
また、請求項１に記載の情報表示装置において、当該装置が表示すべき表示情報が予め書き込まれた記録媒体を備え、この記録媒体に書き込まれた表示情報を遊技者に対して提示する時に、この記録媒体が配置される位置を第３位置とし、記録媒体に書き込まれた表示情報を遊技者に対して非提示にする時に、この記録媒体が配置される位置を第４位置とし、この記録媒体を、第３位置と第４位置との間で移動可能に支持する第２支持手段を備えるようにするとよい。
【００１４】
このように構成された情報表示装置では、当該装置が表示すべき表示情報が予め書き込まれた記録媒体を遊技者に対して提示する時には記録媒体を第３位置に移動し、記録媒体に書き込まれた表示情報を遊技者に対して非提示にする時には記録媒体を第４位置に移動するように第２支持手段を動作させればよい。
【００１５】
即ち、記録媒体に書き込まれた内容を提示する場合には、電子ペーパに表示情報を新たに書き込む処理が不要になる。このため、当該装置により頻繁に表示する必要がある内容をこの記録媒体に書き込めば、書込手段が表示情報を電子ペーパに書き込むための消費電力量を低減することができる。
【００１６】
また、請求項１に記載の情報表示装置は、請求項３に記載のように、電子ペーパを支持する第１支持手段と記録媒体を支持する第２支持手段とを備える、つまり、２つの支持手段を備えるようにしてもよいが、請求項４に記載のように、電子ペーパと記録媒体とは、一体に移動可能となるように連結され、書込手段により書き込まれた表示情報を遊技者に対して提示する時に、電子ペーパが配置される位置を第２位置とし、記録媒体に書き込まれた表示情報を遊技者に対して提示する時に、記録媒体が配置される位置を第３位置とし、電子ペーパを第２位置に移動可能であるとともに、記録媒体を第３位置に移動可能であるように、電子ペーパ及び記録媒体を支持する第３支持手段を備えるようにしてもよい。
【００１７】
このように構成された情報表示装置では、書込手段により書き込まれた表示情報を遊技者に対して提示する時に電子ペーパを第２位置に移動し、記録媒体に書き込まれた表示情報を遊技者に対して提示する時に記録媒体を第３位置に移動するように第３支持手段を動作させればよい。
【００１８】
即ち、電子ペーパ及び記録媒体に書き込まれた表示情報を提示するための支持手段を、１つに減らすことができる。
また、請求項１〜請求項４何れかに記載の情報表示装置において、請求項５に記載のように、電子ペーパは、表示情報が書き込まれる書込表面がフォトクロミック材料で構成されたものであり、書込手段は、書込表面に紫外線を照射することにより、電子ペーパに書き込まれた表示情報を消去する紫外線照射手段と、入力された表示情報に対応する可視光を書込表面に照射することにより、電子ペーパに表示情報を書き込む可視光照射手段と、を備え、書込手段は、紫外線照射手段を動作させた後に可視光照射手段を動作させることにより、表示情報を書き込むようにするとよい。
【００１９】
上記フォトクロミック材料は、光の照射によって可逆的に色が変化する材料のことであり、具体的には、青い光を照射すると青色に、緑色の光を照射すると緑色に、というように、当てた光の色に応じて色が変わり、紫外線を照射すると元の色（褐色）に戻る材料である。（YOSHIHISA OHKO, TETSU TATSUMA、外５名、“Multicolour photochromism of TiO2 films loaded with silver nanoparticles”、[online]、Nature Materials 2, 29？31 (2003)、［平成１５年１１月７日検索］、インターネット＜URL : http://www.nature.com/cgi-taf/ DynaPage.taf?file=/nmat/journal/v2/n1/abs/nmat796.html ＞参照、または、東京大学生産技術研究所 立間研究室  研究内容、“フルカラーフォトクロミック表示デバイス”、[online]、［平成１５年１１月７日検索］、インターネット＜URL :  http://www.iis. u-tokyo.ac.jp/~tatsuma/multic.html＞参照）。
【００２０】
即ち、このように構成された情報表示装置では、可視光照射手段から照射した光の色に応じた色で、表示情報を電子ペーパに書き込むことができるので、遊技場内の情報を様々な色で表示することができる。
【００２１】
また、請求項５に記載の情報表示装置において、請求項６に記載のように、書込表面上には、可視光を透過する透光部材が配置されるようにするとよい。
このように構成された情報表示装置によれば、書込表面を構成しているフォトクロミック材料が汚れることを防止することができる。尚、透光部材は可視光を透過するので、書込表面上に配置される透光部材が、可視光照射手段による表示情報の書き込みに影響を与えることはない。
【００２２】
また、このフォトクロミック材料は、紫外線を照射すると元の色（褐色）に戻る材料であるので、遊技場内の蛍光灯から照射される紫外線や、太陽から遊技場の窓などを介して照射される紫外線が書込表面に当ると、書込表面に書き込まれた表示情報が徐々に失われていく。このため、請求項６に記載の情報表示装置において、請求項７に記載のように、透光部材は、太陽或いは蛍光灯から照射される紫外線を遮断する特性を有するようにするとよい。
【００２３】
このように構成された情報表示装置によれば、太陽或いは蛍光灯から照射される紫外線が書込表面に到達しないので、書込表面に書き込まれた表示情報が失われることを抑制できる。
【００２４】
また、請求項６または請求項７に記載の情報表示装置において、請求項８に記載のように、透光部材は、書込表面から着脱可能であるようにするとよい。
このように構成された情報表示装置によれば、透光部材が汚れたり破損したりした場合に、新しい透光部材と交換することができる。
【００２５】
また、請求項９に記載の遊技機島は、複数の遊技機を備えた遊技機島であって、請求項１〜請求項８何れかに記載の情報表示装置を備えることを特徴とする。
このように構成された画像形成装置によれば、請求項１〜請求項８何れかに記載の情報表示装置と同様の効果を得ることができる。
【００２６】
また、請求項９に記載の遊技機島において、情報表示装置は、表示情報が書き込まれた部分が遊技者に対して視認できるようにすれば、表示の役割を果たすことができるので、請求項１０に記載のように、書込手段は、当該遊技機島の内部に配置されるようにするとよい。
【００２７】
このように構成された遊技機島によれば、遊技者が見ることができない位置に書込手段を配置することができるので、情報表示装置を設置することによって遊技機島の美観が損なわれることを抑制することができる。
【００２８】
また、請求項９または請求項１０に記載の遊技機島において、請求項１１に記載のように、情報表示装置は、当該遊技機島に備えられた遊技機１台毎に、この遊技機の遊技者が当該装置の表示内容を視認可能な位置に設置されるようにしてもよい。
【００２９】
このように構成された遊技機島によれば、遊技機１台毎に異なる内容の表示情報を表示することができるので、遊技機１台毎の遊技者に応じて、適切な情報を表示することが可能となる。
【００３０】
また、請求項９または請求項１０に記載の遊技機島において、請求項１１に記載のように、当該遊技機島に備えられた遊技機１台毎に情報表示装置を備えるようにしてもよいが、遊技機島に備えられた遊技機の数の分の書込手段を備える必要がある。そこで、請求項１２に記載のように、情報表示装置は、当該遊技機島に備えられた遊技機のそれぞれに対応して表示情報が書き込まれる電子ペーパを、遊技機毎に備え、書込手段による書き込みを行う時に、該電子ペーパが配置される位置を第５位置とし、遊技機の遊技者に対して情報を提示する時にこの遊技機に対応した電子ペーパのそれぞれが配置される位置と、第５位置との間で、この電子ペーパが移動可能に、電子ペーパのそれぞれを支持する第４支持手段を備えるようにするとよい。
【００３１】
このように構成された遊技機島では、遊技機に対応した電子ペーパ毎に、書込手段による書き込みを行う時に電子ペーパを第５位置に移動し、その後、遊技者に対して情報を提示する時に配置される位置に、この電子ペーパを移動するように第４支持手段を動作させればよい。
【００３２】
即ち、遊技機１台毎に備えられた電子ペーパに表示情報を書き込むための書込手段を共用することができる。このため、遊技機島が備える書込手段の数を低減することができる。
【００３３】
さらに、請求項１２に記載の遊技機島において、電子ペーパは、それぞれの遊技機に対応した電子ペーパ毎に分離していてもよいが、この場合、第４支持手段は電子ペーパ毎に電子ペーパを支持する必要がある。そこで、請求項１３に記載のように、遊技機に対応した電子ペーパのそれぞれは、その他の遊技機に対応した電子ペーパの全てと一体に移動可能となるように連結されるようにするとよい。
【００３４】
即ち、第４支持手段は、連結されて一体となった電子ペーパを支持することにより、個々の電子ペーパを移動可能に支持することができるので、それぞれの遊技機に対応した電子ペーパ毎に電子ペーパを支持する必要がなく、装置構成を簡略化できる。
【発明を実施するための最良の形態】
【００３５】
（実施の形態１）
以下に本発明の実施の形態１について、図面を参照しながら説明する。
まず、本発明が適用された遊技場表示システム（以降、表示システムとも称す）１全体の構成を図１（ａ）に基づいて説明する。図１（ａ）は、表示システム１の構成を示すブロック図である。
【００３６】
表示システム１は、パチンコ機が設置された遊技場で使用され、図１（ａ）に示すように、遊技場内の情報を表示する複数の表示装置３と、遊技場の従業員によって所持され、この従業員が表示装置３を制御するための信号を送信する複数のリモートコントロール端末（以降、リモコンと称す。）７と、複数の表示装置３が接続され、表示装置３が表示すべき情報を表す表示画像データを表示装置３に送信する制御装置５とを備えている。
【００３７】
次に、表示装置３の配置を図１（ｂ）に基づいて説明する。図１（ｂ）は、表示装置３の配置を示す正面図である。
図１（ｂ）に示すように、複数のパチンコ遊技機（以降、パチンコ機と称す）１１が遊技機島１０に設置され、さらに、パチンコ機１１の上方には、遊技場内の係員を呼び出したり、パチンコ機１１の大当り回数やスタート回数などの遊技情報を表示する呼出ボタンユニット１３と、上述の表示装置３とがパチンコ機１１毎に設置されている。
【００３８】
次に、表示装置３の構成を図２に基づいて説明する。図２（ａ）は表示装置３の斜視図、図２（ｂ）は図２（ａ）のＡ−Ａ断面部を示す図、図２（ｃ）は電子ペーパ３５，駆動ローラ４７（後述）および従動ローラ４９（後述）の斜視図、図２（ｄ）はベルト３５ｄ（後述）を書込部３５ａ（後述）と既書込部３５ｃ（後述）との境界部で切断した状態での電子ペーパ３５の表面を示した図である。尚、図２（ｂ）は、表示装置３が遊技機島１０に設置されている状態を示している。
【００３９】
図２（ａ）に示すように、表示装置３の正面には、情報を表示するための表示画面を構成する透光板３１と、リモコン７からの信号（以降、リモコン信号と称す）を受信するリモコンセンサ３３とが配置されている。
【００４０】
また、表示装置３は、図２（ｂ）に示すように、書き込まれた内容を電源供給なしに保持可能な電子ペーパ３５と、電子ペーパ３５に画像を書き込む露光器３７と、電子ペーパ３５の書込部３５ａ（後述）を移動させるための駆動ローラ４７および従動ローラ４９と、表示装置３全体の動作を制御するコントローラ５１とを備えている。さらに、表示装置３は、透光板３１が配置された面（正面）のみが、遊技者から見えるように遊技機島１０に設置されている。つまり、露光器３７は遊技機島１０の内部に配置されている。
【００４１】
尚、電子ペーパ３５は、図２（ｃ）に示すように、フォトクロミック材料により構成された矩形状の書込部３５ａと、用紙等の印刷媒体により構成され、「連続遊技中」の定型画像が書き込まれた矩形状の既書込部３５ｂ（図２（ｄ）参照）と、「食事中」の定型画像が書き込まれた矩形状の既書込部３５ｃ（図２（ｄ）参照）と、書込部３５ａ及び既書込部３５ｂ，３５ｃを固定するベルト３５ｄと、書込部３５ａの表面上に貼り付けられた紫外線防止シート３５ｅ（図２（ｃ）参照）とから構成されている。尚、このフォトクロミック材料は、青い光を照射すると青色に、緑色の光を照射すると緑色に、というように、当てた光の色に応じて色が変わり、紫外線を照射すると元の色（褐色）に戻る材料である。つまり、露光器３７は、この書込部３５ａに可視光を照射することにより画像を形成する。
【００４２】
また、紫外線防止シート３５ｅは、可視光を透過するとともに、太陽或いは蛍光灯から照射される紫外線を遮断する特性を有する材料からできている。さらに、紫外線防止シート３５ｅは、人が力を加えれば書込部３５ａから剥がすことができる程度の接着力で、書込部３５ａの表面上に貼り付けられている。
【００４３】
そして、電子ペーパ３５は透光板３１に沿って配置されるとともに、透光板３１の長手方向両端付近に配置された駆動ローラ４７と従動ローラ４９に架け渡されている。
さらに、露光器３７は電子ペーパ３５を挟んで透光板３１と対向するように配置されている。そして、露光器３７は、電子ペーパ３５に紫外線を照射する紫外線照射器３９と、電子ペーパ３５に赤色光を照射する赤色光照射器４１と、電子ペーパ３５に青色光を照射する青色光照射器４３と、電子ペーパ３５に緑色光を照射する緑色光照射器４５とから構成されている。
【００４４】
そして、紫外線照射器３９は、電子ペーパ３５の表面に向けて、紫外線を、上から下（図２（ｂ）において、紙面に垂直で、紙面の手前側から奥側に向かう方向）に走査しながら照射する。尚、紫外線照射器３９は、紫外線防止シート３５ｅを通過するために十分なエネルギーを有する紫外線を照射する。
【００４５】
同様に、赤色光照射器４１，青色光照射器４３，緑色光照射器４５は、電子ペーパ３５の表面に向けて、それぞれ赤色光，青色光，緑色光を、上から下（図２（ｂ）において、紙面に垂直で、紙面の手前側から奥側に向かう方向）に走査しながら照射する。
【００４６】
そして、駆動ローラ４７は、表示装置３の内部に設置されたモータ９３（図３参照。図２（ｂ）では図示せず。）からの駆動を受けて回転し、この回転に応じて、電子ペーパ３５が移動する。
【００４７】
つまり、書込部３５ａに書き込んだ画像を表示する時には、書込部３５ａが透光板３１に対向し、書込部３５ａに画像を書き込む時には、書込部３５ａが露光器３７に対向するように、電子ペーパ３５を移動させることができる。さらに、書込部３５ａを露光器３７に対向させた状態で、電子ペーパ３５を徐々に移動させながら赤色光，青色光，緑色光を照射することによって、書込部３５ａ全体に画像を書き込むことができる。
【００４８】
次に、表示システム１の電気的構成を図３に基づいて説明する。図３は表示システム１の電気的構成を表すブロック図である。
表示システム１は、図３に示すように、上述の表示装置３と、制御装置５と、リモコン７とを備えている。尚、表示システム１は、表示装置３及びリモコン７をそれぞれ複数備えているが、いずれも同様の構成を有しているため、ここでは一つずつ示している。
【００４９】
そして、制御装置５は、所定の処理プログラムに基づいて処理を実行するＣＰＵ６１と、種々の制御プログラムが格納されたＲＯＭ６３と、種々のデータを格納する各種メモリが設けられたＲＡＭ６５と、制御装置５の外部から画像データを入出力する入出力部６７と、
入出力部６７から入力した画像データを記憶するハードディスク（以降、ＨＤＤと称す）６９と、表示装置３との間でデータ通信を行う通信部７１と、利用者により操作可能な複数の操作キー７３ａおよび各種情報を表示する表示パネル７３ｂからなるユーザインターフェース部（以降、ユーザＩ／Ｆと称す）７３とを備えている。
【００５０】
また、表示装置３は、上述した紫外線照射器３９，赤色光照射器４１，青色光照射器４３，緑色光照射器４５，モータ９３，リモコンセンサ３３，コントローラ５１に加えて、駆動ローラ４７の回転角を検出するローラ回転角センサ９５を備えている。
【００５１】
そして、コントローラ５１は、所定の処理プログラムに基づいて処理を実行するＣＰＵ８１と、種々の制御プログラムが格納されたＲＯＭ８３と、種々のデータを格納する各種メモリが設けられたＲＡＭ８５と、制御装置５との間でデータ通信を行う通信部８７と、モータ９３に駆動信号を伝えるモータ駆動回路９１と、リモコンセンサ３３，ローラ回転角センサ９５，紫外線照射器３９，赤色光照射器４１，青色光照射器４３，緑色光照射器４５及びモータ駆動回路９３が接続され、ＣＰＵ８１，ＲＡＭ８５との間で信号及びデータの入出力を行う入出力部８９とを備えている。
【００５２】
また、リモコン７は、所定の処理プログラムに基づいて処理を実行するＣＰＵ１０１と、種々の制御プログラムが格納されたＲＯＭ１０３と、種々のデータを格納する各種メモリが設けられたＲＡＭ１０５と、利用者により操作可能な複数の操作キー１０７ａからなるユーザＩ／Ｆ１０７と、ＣＰＵ１０１の指示に基づいて、所定のリモコン信号を赤外線として送出するリモコン信号送出部１０９とを備えている。そして、電子ペーパ３５の既書込部３５ｂに書き込まれた定型画像を表示装置３に表示させるための操作が操作キー１０７ａにより行われた場合には、ＣＰＵ１０１は、既書込部３５ｂに定型画像を表示させるための第１画像表示指令をリモコン信号送出部１０９に送出させる。同様に、既書込部３５ｃに書き込まれた定型画像を表示させるための操作が操作キー１０７ａにより行われた場合には、ＣＰＵ１０１は、既書込部３５ｃに定型画像を表示させるための第２画像表示指令をリモコン信号送出部１０９に送出させる。
【００５３】
次に、図４を用いて、制御装置５が表示画像データを送信するための表示画像データ送信処理を説明する。
図４は、表示画像データ送信処理を表すフローチャートである。この表示画像データ送信処理は、当該表示画像データ送信処理を実行するための操作が操作キー７３ａにより行われると処理を開始する。
【００５４】
この表示画像データ送信処理においては、ＣＰＵ６１は、まずＳ１０にて、ＨＤＤ６９に記憶された画像データの中から画像データを選択するための画像選択情報（例えば、画像データのファイル名を表す文字列）を入力する画像選択画面を表示パネル７３ｂに表示させる。この後、Ｓ２０にて、ユーザＩ／Ｆ７３の操作キー７３ａが操作されて画像選択情報が入力されるまで待機する。
【００５５】
そして、画像選択情報が入力されると（Ｓ２０：ＹＥＳ）、Ｓ３０において、画像選択情報によって特定される画像データをＨＤＤ６９から読み込み、読み込んだ画像データに基づいて表示画像データを生成する。即ち、例えば、画像選択情報に基づいて、図７（ａ）に示す画像データＧ１をＨＤＤ６９から読み込んだとする。尚、図７（ａ）に示す画像データＧ１は、「ワゴンサービス・メニュー」と記載された文字が赤色で、「コーヒー」・「ジュース」等の品目を表す文字が青色で、「６０玉」・「１００玉」等の購入玉数を表す文字が緑色で示されるデータである。そして、画像データＧ１の中から赤色で示されるデータを抽出することによって、赤色で示される部分を表す画像データ（以降、表示赤画像データと称す）Ｇ１ｒ（図７（ｂ）参照）を生成する。更に、同様にして、画像データＧ１の中から青色で示されるデータを抽出することによって、青色で示される部分を表す画像データ（以降、表示青画像データと称す）Ｇ１ｂ（図７（ｃ）参照）を生成するとともに、緑色で示されるデータを抽出することによって、緑色で示される部分を表す画像データ（以降、表示緑画像データと称す）Ｇ１ｇ（図７（ｄ）参照）を生成する。つまり、上記の表示画像データは、表示赤画像データと表示青画像データと表示緑画像データとから構成されている。
【００５６】
尚、表示赤画像データＧ１ｒ，表示青画像データＧ１ｂ，表示緑画像データＧ１ｇはそれぞれ、２次元の配列を構成しており、横方向（以降、Ｘ軸方向とも称す）にＸ＿ＳＩＺＥ個、縦方向（以降、Ｙ軸方向とも称す）にＹ＿ＳＩＺＥ個の画素データが並んでいる（Ｘ＿ＳＩＺＥ：画像データ横サイズ（ピクセル）：Ｙ＿ＳＩＺＥ：画像データ縦サイズ（ピクセル））。即ち、Ｘ＿ＳＩＺＥ個×Ｙ＿ＳＩＺＥ個の画素データＰ（Ｘ，Ｙ）から構成されている。Ｘは画素の横方向の座標値、Ｙは縦方向の座標値であり、Ｘについては０，１，２，・・・・，（Ｘ＿ＳＩＺＥ−１）、Ｙについては０，１，２，・・・・，（Ｙ＿ＳＩＺＥ−１）の値が付されている。また、画素データＰ（Ｘ，Ｙ）は、「０」または「１」の値をデータとして有している。即ち、「１」の値を有する画素データＰ（Ｘ，Ｙ）は、画像を形成するためのドットが配置される画素であり、「０」の値を有する画素データＰ（Ｘ，Ｙ）は、上記ドットが配置されない画素であることを示す。また、上述したように、表示装置３の露光器３７は、赤色光照射器４１と青色光照射器４３と緑色光照射器４５とから構成されているので、Ｓ３０において読み込まれる画像データは、赤・青・緑の３色のみで構成されるデータである必要がある。
【００５７】
その後、Ｓ４０にて、Ｓ３０で生成された表示赤画像データＧ１ｒ，表示青画像データＧ１ｂ，表示緑画像データＧ１ｇを通信部７１を介して表示装置３に送信し、当該表示画像データ送信処理を終了する。
【００５８】
次に、図５を用いて、表示装置３が情報を表示するための表示処理を説明する。
図５は、表示処理を表すフローチャートである。この表示処理は、ＣＰＵ８１が起動（電源ＯＮ）している間に繰り返し実行される処理である。
【００５９】
この表示処理においては、ＣＰＵ８１は、まずＳ２１０にて、制御装置５から表示画像データが入力したか否かを判断する。ここで、表示画像データが入力したと判断すると（Ｓ２１０：ＹＥＳ）、Ｓ２２０にて、紫外線照射処理を実行する。
【００６０】
この紫外線照射処理は、図６（ａ）に示す手順で実行される。図６（ａ）は、紫外線照射処理を表すフローチャートである。
この紫外線照射処理においては、ＣＰＵ８１は、まずＳ４１０にて、電子ペーパ３５の書込左端部Ｘ１が紫外線照射位置Ｐ１に一致するように、駆動ローラ４７を回転させて電子ペーパ３５を移動させ、Ｓ４２０に移行する。
【００６１】
ここで、図２（ｂ），図２（ｃ），図２（ｄ）を用いて、紫外線照射位置Ｐ１と、書込左端部Ｘ１と、後述する赤色光照射位置Ｐ２，青色光照射位置Ｐ３，緑色光照射位置Ｐ４，表示位置Ｐ５，書込右端部Ｘ２，第１既書込左端部Ｘ３及び第２既書込左端部Ｘ４を説明する。
【００６２】
図２（ｂ）に示すように、紫外線照射位置Ｐ１は、紫外線照射器３９が照射する紫外線が電子ペーパ３５に当たる位置であり、上記Ａ−Ａ断面に平行な面における２次元座標で表される。同様に、赤色光照射位置Ｐ２，青色光照射位置Ｐ３，緑色光照射位置Ｐ４は、それぞれ赤色光照射器４１，青色光照射器４３，緑色光照射器４５から照射される光が電子ペーパ３５に当たる位置であり、上記Ａ−Ａ断面に平行な面における２次元座標で表される。
【００６３】
また、図２（ｃ）に示すように、書込部３５ａの左端の位置を書込左端部Ｘ１とし、右端の位置を書込右端部Ｘ２としている。さらに、図２（ｄ）に示すように、既書込部３５ｂ，既書込部３５ｃの左端の位置を、それぞれ第１既書込左端部Ｘ３，第２既書込左端部Ｘ４としている。尚、ＣＰＵ８１は、ローラ回転角センサ９５（図３参照。図２（ｂ）では図示せず。）を用いて駆動ローラ４７の回転角を監視することにより、書込左端部Ｘ１，書込右端部Ｘ２，第１既書込左端部Ｘ３及び第２既書込左端部Ｘ４の位置を特定する。
【００６４】
また、表示位置Ｐ５は、書込部３５ａ，既書込部３５ｂ，既書込部３５ｃに書き込まれた画像を表示する場合に、それぞれ書込左端部Ｘ１，第１既書込左端部Ｘ３，第２既書込左端部Ｘ４が位置すべき位置である（図２（ｂ）参照）。
【００６５】
そして、Ｓ４２０に移行すると、紫外線照射器３９を動作させ、電子ペーパ３５の書込部３５ａに向けて、紫外線を、上から下（図２（ｂ）において、紙面に垂直で、紙面の手前側から奥側に向かう方向）に走査しながら照射する。そして、Ｓ４２０の処理が終了すると、Ｓ４３０にて、駆動ローラ４７を回転させて、電子ペーパ３５を、上述の画素データＰ（Ｘ，Ｙ）の１画素の横方向（Ｘ軸方向）長さ分移動させる。
【００６６】
そして、Ｓ４４０にて、書込右端部Ｘ２が紫外線照射位置Ｐ１に位置しているか否かを判断する。ここで、紫外線照射位置Ｐ１に位置していないと判断すると（Ｓ４４０：ＮＯ）、Ｓ４２０に処理を移し上記の処理を繰り返す。一方、紫外線照射位置Ｐ１に位置すると判断すると（Ｓ４４０：ＹＥＳ）、当該紫外線照射処理を終了する。
【００６７】
つまり、この紫外線照射処理では、電子ペーパ３５を１画素分ずつ横方向に移動させながら、紫外線を縦方向に走査しながら照射することによって、書込部３５ａ全体に紫外線を照射する。これにより、書込部３５ａに書き込まれた画像を消去する。
【００６８】
図５の表示処理に戻り、Ｓ２２０の紫外線照射処理を終了すると、Ｓ２３０に移行し、赤色光照射処理を行う。
この赤色光照射処理は、図６（ｂ）に示す手順で実行される。図６（ｂ）は、赤色光照射処理を表すフローチャートである。
【００６９】
この赤色光照射処理においては、ＣＰＵ８１は、まずＳ５１０にて、電子ペーパ３５の書込左端部Ｘ１が赤色光照射位置Ｐ２に一致するように、駆動ローラ４７を回転させて電子ペーパ３５を移動させ、Ｓ５２０に移行する。
【００７０】
そして、Ｓ５２０に移行すると、赤色光照射器４１を動作させ、電子ペーパ３５の書込部３５ａに向けて、赤色光を、上から下（図２（ｂ）において、紙面に垂直で、紙面の手前側から奥側に向かう方向）に走査しながら照射する。この時、入力した表示赤画像データに応じて、赤色光を照射する。即ち、ローラ回転角センサ９５によって検出された駆動ローラ４７の回転角に基づいて、書込部３５ａのどの部分が赤色光照射位置Ｐ２に位置しているかを特定する。そして、特定した書込部３５ａの位置に対応した画素データＰ（Ｘ，Ｙ）に応じて、画素データＰ（Ｘ，Ｙ）＝１の場合には赤色光を照射し、画素データＰ（Ｘ，Ｙ）＝０の場合には、赤色光の照射を停止する。
【００７１】
例えば、書込左端部Ｘ１が赤色光照射位置Ｐ２に位置している場合には、Ｘ＝０の画素
データ列Ｐ（０，０），Ｐ（０，１），・・・，Ｐ（０，Ｙ＿ＳＩＺＥ−１）が抽出され、Ｐ（０，０）→Ｐ（０，１）→・・・→Ｐ（０，Ｙ＿ＳＩＺＥ−１）の順に、その画素データに対応した書込部３５ａの位置に、画素データの値（０か１）に応じて赤色光を照射する。
【００７２】
そして、Ｓ５２０の処理が終了すると、Ｓ５３０にて、駆動ローラ４７を回転させて、電子ペーパ３５を、上述の画素データＰ（Ｘ，Ｙ）の１画素の横方向（Ｘ軸方向）長さ分移動させる。
【００７３】
そして、Ｓ５４０にて、書込右端部Ｘ２が赤色光照射位置Ｐ２に位置しているか否かを判断する。ここで、赤色光照射位置Ｐ２に位置していないと判断すると（Ｓ５４０：ＮＯ）、Ｓ５２０に処理を移し上記の処理を繰り返す。一方、赤色光照射位置Ｐ２に位置すると判断すると（Ｓ５４０：ＹＥＳ）、当該赤色光照射処理を終了する。
【００７４】
つまり、この赤色光照射処理では、電子ペーパ３５を１画素分ずつ横方向に移動させながら、赤色光を縦方向に走査しながら照射することによって、表示赤画像データに対応する画像を書込部３５ａに書き込む。
【００７５】
図５の表示処理に戻り、Ｓ２３０の赤色光照射処理を終了すると、Ｓ２４０に移行し、青色光照射処理を行う。
この青色光照射処理は、図６（ｃ）に示す手順で実行される。図６（ｃ）は、青色光照射処理を表すフローチャートである。
【００７６】
この青色光照射処理においては、ＣＰＵ８１は、まずＳ６１０にて、電子ペーパ３５の書込左端部Ｘ１が青色光照射位置Ｐ３に一致するように、駆動ローラ４７を回転させて電子ペーパ３５を移動させ、Ｓ６２０に移行する。
【００７７】
そして、Ｓ６２０に移行すると、青色光照射器４３を動作させ、電子ペーパ３５の書込部３５ａに向けて、青色光を、上から下（図２（ｂ）において、紙面に垂直で、紙面の手前側から奥側に向かう方向）に走査しながら照射する。この時、入力した表示青画像データに応じて、青色光を照射する。即ち、ローラ回転角センサ９５によって検出された駆動ローラ４７の回転角に基づいて、書込部３５ａのどの部分が青色光照射位置Ｐ３に位置しているかを特定する。そして、特定した書込部３５ａの位置に対応した画素データＰ（Ｘ，Ｙ）に応じて、画素データＰ（Ｘ，Ｙ）＝１の場合には青色光を照射し、画素データＰ（Ｘ，Ｙ）＝０の場合には、青色光の照射を停止する。
【００７８】
そして、Ｓ６２０の処理が終了すると、Ｓ６３０にて、駆動ローラ４７を回転させて、電子ペーパ３５を、上述の画素データＰ（Ｘ，Ｙ）の１画素の横方向（Ｘ軸方向）長さ分移動させる。
【００７９】
そして、Ｓ６４０にて、書込右端部Ｘ２が青色光照射位置Ｐ３に位置しているか否かを判断する。ここで、青色光照射位置Ｐ３に位置していないと判断すると（Ｓ６４０：ＮＯ）、Ｓ６２０に処理を移し上記の処理を繰り返す。一方、青色光照射位置Ｐ３に位置すると判断すると（Ｓ６４０：ＹＥＳ）、当該青色光照射処理を終了する。
【００８０】
つまり、この青色光照射処理では、電子ペーパ３５を１画素分ずつ横方向に移動させながら、青色光を縦方向に走査しながら照射することによって、表示青画像データに対応する画像を書込部３５ａに書き込む。
【００８１】
図５の表示処理に戻り、Ｓ２４０の青色光照射処理を終了すると、Ｓ２５０に移行し、緑色光照射処理を行う。
この緑色光照射処理は、図６（ｄ）に示す手順で実行される。図６（ｄ）は、緑色光照射処理を表すフローチャートである。
【００８２】
この緑色光照射処理においては、ＣＰＵ８１は、まずＳ７１０にて、電子ペーパ３５の書込左端部Ｘ１が緑色光照射位置Ｐ４に一致するように、駆動ローラ４７を回転させて電子ペーパ３５を移動させ、Ｓ７２０に移行する。
【００８３】
そして、Ｓ７２０に移行すると、緑色光照射器４５を動作させ、電子ペーパ３５の書込部３５ａに向けて、緑色光を、上から下（図２（ｂ）において、紙面に垂直で、紙面の手前側から奥側に向かう方向）に走査しながら照射する。この時、入力した表示緑画像データに応じて、緑色光を照射する。即ち、ローラ回転角センサ９５によって検出された駆動ローラ４７の回転角に基づいて、書込部３５ａのどの部分が緑色光照射位置Ｐ４に位置しているかを特定する。そして、特定した書込部３５ａの位置に対応した画素データＰ（Ｘ，Ｙ）に応じて、画素データＰ（Ｘ，Ｙ）＝１の場合には緑色光を照射し、画素データＰ（Ｘ，Ｙ）＝０の場合には、緑色光の照射を停止する。
【００８４】
そして、Ｓ７２０の処理が終了すると、Ｓ７３０にて、駆動ローラ４７を回転させて、電子ペーパ３５を、上述の画素データＰ（Ｘ，Ｙ）の１画素の横方向（Ｘ軸方向）長さ分移動させる。
【００８５】
そして、Ｓ７４０にて、書込右端部Ｘ２が緑色光照射位置Ｐ４に位置しているか否かを判断する。ここで、緑色光照射位置Ｐ４に位置していないと判断すると（Ｓ７４０：ＮＯ）、Ｓ７２０に処理を移し上記の処理を繰り返す。一方、緑色光照射位置Ｐ４に位置すると判断すると（Ｓ７４０：ＹＥＳ）、当該緑色光照射処理を終了する。
【００８６】
つまり、この緑色光照射処理では、電子ペーパ３５を１画素分ずつ横方向に移動させながら、緑色光を縦方向に走査しながら照射することによって、表示緑画像データに対応する画像を書込部３５ａに書き込む。
【００８７】
そして、図５の表示処理に戻り、Ｓ２５０の緑色光照射処理を終了すると、Ｓ２６０に移行し、電子ペーパ３５の書込左端部Ｘ１が表示位置Ｐ５に一致するように、駆動ローラ４７を回転させて電子ペーパ３５を移動させ、当該表示処理を終了する。
【００８８】
一方、Ｓ２１０にて、表示画像データが入力していないと判断すると（Ｓ２１０：ＮＯ）、Ｓ２７０にて、第１画像表示指令が入力したか否かを判断する。ここで、第１画像表示指令が入力したと判断すると（Ｓ２７０：ＹＥＳ）、Ｓ２８０にて、電子ペーパ３５の第１既書込左端部Ｘ３が表示位置Ｐ５に一致するように、駆動ローラ４７を回転させて電子ペーパ３５を移動させ、当該表示処理を終了する。
【００８９】
また、Ｓ２７０にて、第１画像表示指令が入力していないと判断すると（Ｓ２７０：ＮＯ）、Ｓ２９０にて、第２画像表示指令が入力したか否かを判断する。ここで、第２画像表示指令が入力したと判断すると（Ｓ２９０：ＹＥＳ）、Ｓ３００にて、電子ペーパ３５の第２既書込左端部Ｘ４が表示位置Ｐ５に一致するように、駆動ローラ４７を回転させて電子ペーパ３５を移動させ、当該表示処理を終了する。一方、Ｓ２９０にて、第２画像表示指令が入力していないと判断すると（Ｓ２９０：ＮＯ）、当該表示処理を終了する。
【００９０】
次に、このように構成された表示システム１の動作を説明する。
まず、制御装置５の操作者が、操作キー７３ａを操作することにより表示画像データ送信処理を実行させると、ＨＤＤ６９に記憶された画像データの中から画像データを選択するための画像選択情報を入力する画像選択画面が、表示パネル７３ｂに表示される（Ｓ１０参照）。その後、操作者が操作キー７３ａを操作することにより、例えば図７（ａ）に示す画像データＧ１を選択されると（Ｓ２０参照）、表示画像データＧ１（表示赤画像データＧ１ｒ，表示青画像データＧ１ｂ，表示緑画像データＧ１ｇ）が生成され（Ｓ３０参照）、その後、表示画像データＧ１が表示装置３に送信される（Ｓ４０参照）。
【００９１】
そして、表示画像データＧ１が表示装置３に入力されると、透光板３１に対向している電子ペーパ３５の書込部３５ａが、紫外線照射器３９，赤色光照射器４１，青色光照射器４３，緑色光照射器４５のそれぞれに対向する位置に順次移動させられ、紫外線，赤色光，青色光，緑色光が書込部３５ａに照射される（Ｓ２２０〜Ｓ２５０参照）。その後、再び、書込部３５ａが、透光板３１に対向する位置に戻る（Ｓ２６０参照）と、図８（ａ）に示すように、表示画像データＧ１に対応した画面Ｄ１が表示される。
【００９２】
その後、操作者が再び表示画像データ送信処理を実行させ、表示画像データＧ１と異なる画像データを選択すると、選択された画像データに対応した画面（例えば、図８（ｂ）に示す画面Ｄ２のような、遊技場でのイベント告知画面）が表示装置３に表示される。
【００９３】
また、リモコン７を所持している遊技場従業員が、このリモコン７を表示装置３のリモコンセンサ３３に向けた状態で、操作キー１０７ａを操作することにより第１画像表示指令を送出するための操作をすると、第１画像表示指令を表す赤外線がリモコン信号送出部１０９から送出される。そして、この第１画像表示指令がリモコンセンサ３３に到達すると、電子ペーパ３５の既書込部３５ｂが透光板３１に対向する位置に移動し（Ｓ２８０参照）、図８（ｃ）に示すように、既書込部３５ｂの画像を示す画面Ｄ３が表示装置３に表示される。尚、既書込部３５ｂに書き込まれている画像である「連続遊技中」は、大当たりで獲得したパチンコ玉を使って、継続してパチンコ機で遊技できることを示す。即ち、既書込部３５ｂの画像は、表示装置３によって頻繁に表示される画像である。
【００９４】
同様に、遊技場従業員が、第２画像表示指令を送出するための操作をすると、電子ペーパ３５の既書込部３５ｃが透光板３１に対向する位置に移動し（Ｓ３００参照）、図８（ｄ）に示すように、既書込部３５ｃの画像を示す画面Ｄ４が表示装置３に表示される。尚、既書込部３５ｃに書き込まれている画像である「食事中」は、食事をするために遊技客が暫くパチンコ機から離れていることを示す。即ち、既書込部３５ｃの画像は、表示装置３によって頻繁に表示される画像である。
【００９５】
このように構成された本実施形態の表示システム１では、図４の表示画像データ送信処理により、表示画像データが表示装置３に入力されると、図５のＳ２２０の処理により、紫外線が電子ペーパ３５に照射されることによって、書き込まれた表示画像データが消去され、その後、図５のＳ２３０〜Ｓ２５０の処理により、表示画像データに対応する赤色光，青色光，緑色光が電子ペーパ３５に照射されることによって、表示画像データが書き込まれる。
【００９６】
即ち、表示装置３に表示画像データを入力する手間のみで表示内容を変更することができる。さらに、電子ペーパ３５は、電源の供給をすることなしに、書き込まれた内容を保持可能な表示媒体（不揮発性表示媒体）であるので、表示画像データが電子ペーパに書き込まれた後には、この内容を保持するための電力を必要としない。つまり、表示画像データを表示している間の電力が不要となる。
【００９７】
従って、表示内容の変更作業の手間と、情報を表示するための消費電力量とを低減することができる。
また、図５のＳ２２０〜Ｓ２５０の処理により書き込みを行う時には、書込左端部Ｘ１が紫外線照射位置Ｐ１，赤色光照射位置Ｐ２，青色光照射位置Ｐ３，緑色光照射位置Ｐ４に位置するように電子ペーパ３５が移動させられ（Ｓ４１０，Ｓ５１０，Ｓ６１０，Ｓ７１０）、遊技者に対して情報を提示する時には書込左端部Ｘ１が表面位置Ｐ５に位置するように移動させられる（Ｓ２６０）。
【００９８】
このため、重量の重い露光器３７の配置を固定して、重量の軽い電子ペーパ３５を移動させるので、移動させるために必要な電力を低減することができる。
また、電子ペーパ３５は、定型画像が書き込まれた既書込部３５ｂ，既書込部３５ｃを備えており、遊技者に対して既書込部３５ｂ，既書込部３５ｃの定型画像を提示する時には、それぞれ第１既書込左端部Ｘ３，第２既書込左端部Ｘ４が表面位置Ｐ５に位置するように移動させられる（Ｓ２８０，Ｓ３００）。
【００９９】
即ち、既書込部３５ｂ，既書込部３５ｃに書き込まれた内容を提示する場合には、電子ペーパ３５に表示画像データを新たに書き込む処理が不要になる。このため、表示装置３により頻繁に表示する必要がある内容をこの既書込部３５ｂ，既書込部３５ｃに書き込めば、表示画像データを電子ペーパ３５に書き込むための消費電力量を低減することができる。
【０１００】
また、書込部３５ａ，既書込部３５ｂ，既書込部３５ｃはベルト３５ｄに固定されているので、一体に移動可能である。このため、書込部３５ａ，既書込部３５ｂ，既書込部３５ｃを、駆動ローラ４７及び従動ローラ４９のみで支持することができる。
【０１０１】
また、電子ペーパ３５は、当てた光の色に応じて色が変わるフォトクロミック材料で構成されているので、遊技場内の情報を様々な色で表示することができる。
また、書込部３５ａの表面上には、可視光を透過するとともに、太陽或いは蛍光灯から照射される紫外線を遮断する特性を有する紫外線防止シート３５ｅが貼り付けられている。このため、書込部３５ａを構成しているフォトクロミック材料が汚れることを防止するとともに、太陽或いは蛍光灯から照射される紫外線により、書込部３５ａに書き込まれた表示画像データが失われることを抑制できる。
【０１０２】
さらに、紫外線防止シート３５ｅは、人が力を加えれば書込部３５ａから剥がすことができる程度の接着力で、書込部３５ａの表面上に貼り付けられているので、紫外線防止シート３５ｅが汚れたり破損したりした場合に、新しい紫外線防止シート３５ｅと交換することができる。
【０１０３】
また、表示装置３は、遊技機島１０に備えられたパチンコ機１台毎に、このパチンコ機の上方に設置されている。このため、パチンコ機１台毎に異なる内容の表示画像データを表示することができるので、パチンコ機１台毎の遊技者に応じて、適切な情報を表示することが可能となる。
【０１０４】
また、露光器３７は遊技機島１０の内部に配置されている。即ち、遊技者が見ることができない位置に露光器３７が配置されているので、表示装置３を設置することによって遊技機島１０の美観が損なわれることを抑制することができる。
【０１０５】
以上説明した実施形態において、表示装置３は本発明における情報表示装置、図５のＳ２２０〜Ｓ２５０の処理は本発明における書込手段、図５のＳ２２０の処理は本発明における紫外線照射手段、図５のＳ２３０〜Ｓ２５０は本発明における可視光照射手段、図６のＳ４１０，Ｓ５１０，Ｓ６１０，Ｓ７１０の処理，図５のＳ２６０の処理，駆動ローラ４７，従動ローラ４９は本発明における第１支持手段、図５のＳ２６０，Ｓ２８０，Ｓ３００の処理，駆動ローラ４７，従動ローラ４９は本発明における第２支持手段及び第３支持手段、紫外線防止シート３５ｅは本発明における透光部材である。
【０１０６】
また、表示画像データは本発明における表示情報、書込部３５ａは本発明における書込表面、赤色光，青色光，緑色光は本発明における可視光、紫外線照射位置Ｐ１，赤色光照射位置Ｐ２，青色光照射位置Ｐ３，緑色光照射位置Ｐ４は本発明における第１位置、表面位置Ｐ５は本発明における第２位置及び第３位置、書込左端部Ｘ１が表面位置Ｐ５にある時に第１既書込左端部Ｘ３及び第２既書込左端部Ｘ４が位置する位置が本発明における第４位置である。
【０１０７】
（実施の形態２）
以下に本発明の実施の形態２について、図面を参照しながら説明する。
まず、実施の形態２における表示装置２０３の構成を図９に基づいて説明する。図９（ａ）は表示装置２０３が設置された遊技機島２１０の斜視図、図９（ｂ）は図９（ａ）のＢ−Ｂ断面部を示す図である。尚、実施の形態２の表示装置２０３の構成において、実施の形態１の表示装置３と同様の箇所については、同一の符号を付して説明を省略し、異なる箇所のみについて詳述する。
【０１０８】
図９（ａ）に示すように、複数のパチンコ機２１１が遊技機島２１０に設置され、さらに、パチンコ機２１１の上方には、表示装置２０３が設置されている。そして、表示装置２０３の正面には、情報を表示するための表示画面を構成する透光板２３１がパチンコ遊技機１台毎に配置されている。
【０１０９】
また、図９（ｂ）に示すように、表示装置２０３は、書き込まれた内容を電源供給なしに保持可能な電子ペーパ２３５と、電子ペーパ２３５に画像を書き込む露光器３７と、電子ペーパ２３５を移動させるための駆動ローラ４７および従動ローラ４９と、表示装置２０３全体の動作を制御するコントローラ５１とを備えている。尚、駆動ローラ４７，従動ローラ４９は本発明における第４支持手段である。
【０１１０】
また、電子ペーパ２３５は、上述のフォトクロミック材料により構成された複数の書込部２３５ａと、複数の書込部２３５ａを固定するベルト２３５ｄとから構成されている。そして、電子ペーパ２３５は、遊技機島２１０が備えるパチンコ機２１１の数の分の書込部２３５ａを備えており、この複数の書込部２３５ａは、それぞれに対応した透光板２３１と対向可能となるように、ベルト２３５ｄ上に固定されている。
【０１１１】
そして、ある１つの書込部２３５ａに画像を書き込む時には、その書込部２３５ａが露光器３７に対向する位置（本発明の第５位置に相当）に電子ペーパ２３５を移動させ、さらに、電子ペーパ２３５を移動させながら紫外線、赤色光，青色光，緑色光を照射することによって、書込部２３５ａに画像を書き込む。その後、書込部２３５ａに書き込んだ画像を表示する時には、書込部２３５ａが透光板２３１に対向するように、電子ペーパ２３５を移動させる。このようにして、パチンコ機１台毎に異なる内容の画像を表示することができる
このように構成された表示装置２０３では、複数の書込部２３５ａに画像を書き込むための露光器３７を共用することができる。このため、遊技機島２１０が備える露光器の数を低減することができる。
【０１１２】
また、複数の書込部２３５ａはベルト２３５ｄに固定されているので、複数の書込部２３５ａは一体に移動可能である。このため、電子ペーパ２３５を駆動ローラ４７及び従動ローラ４９で支持することにより、個々の書込部２３５ａを移動可能に支持することができるので、それぞれのパチンコ機に対応した書込部２３５ａ毎に書込部２３５ａを支持する必要がなく、表示装置２０３の装置構成を簡略化できる。
【０１１３】
以上、本発明の一実施例について説明したが、本発明は上記実施例に限定されるものではなく、本発明の技術的範囲に属する限り種々の形態を採ることができる。
例えば、上記実施形態においては、紫外線照射器３９→赤色光照射器４１→青色光照射器４３→緑色光照射器４５の順に動作させ、電子ペーパ３５に画像を書き込むものを示したが、紫外線照射器３９，赤色光照射器４１，青色光照射器４３及び緑色光照射器４５を同時に動作させて、電子ペーパ３５に画像を書き込むようにしてもよい。
【０１１４】
また、上記実施形態においては、書込部３５ａの表面上に紫外線防止シート３５ｅを貼り付ける構成のものを示した。しかし、透光板３１側で紫外線対策を行なうようにしてもよい。つまり、例えば、透光板３１の表面に紫外線防止シートを貼り付ける、或いは、紫外線を遮断する特性を有する材料で透光板３１を構成するようにしてもよい。このように構成された表示装置３では、書込部３５ａの表面上に紫外線を遮断するものが無くなるため、露光器３７から電子ペーパ３５に照射する紫外線のエネルギーを低減することができる。
【０１１５】
また、上記実施形態においては、書込部３５ａの表面上にのみ紫外線防止シート３５ｅを貼り付ける構成のものを示した。しかし、紫外線防止シート３５ｅを、書込部３５ａと透光板３１との両方に貼り付けるようにしてもよい。このように構成された表示装置３では、書込部３５ａに貼り付けられた紫外線防止シート３５ｅに加えて、透光板３１に貼り付けられた紫外線防止シート３５ｅによって、外部からの紫外線が遮断されるので、書込部３５ａに書き込まれた情報が外部からの紫外線によって消えることを更に抑制することができる。
【０１１６】
また、上記実施形態においては、ベルト３５ｄの表面に、１つの書込部３５ａと２つの既書込部３５ｂ，３５ｃを設けた電子ペーパ３５を適用したが、ベルト３５ｄの長手方向の長さを更に長くして、２つ以上の書込部或いは１つまたは３つ以上の既書込部を設けるようにしてもよい。
【０１１７】
また、上記実施形態においては、電子ペーパとして、当てた光の色に応じて色が変わり、紫外線を照射すると元の色（褐色）に戻るフォトクロミック材料によって構成された電子ペーパ３５を適用したものを示したが、その他の方式の電子ペーパを適用してもよい。例えば、正に帯電した白色粒子と、負に帯電した黒色粒子とが入ったマイクロカプセルを、透明電極と背面電極の間に配置し、この電極間に電圧を印加してマイクロカプセル内の粒子を電気泳動させることにより画像表示を行う電気泳動方式の電子ペーパを適用してもよい。
【０１１８】
また、上記実施形態においては、表示装置３は通信部８７を介して制御装置５に接続されており、表示画像データは制御装置５から入力されるものを示した。しかし、表示装置３がデータ入力端子を備え、パーソナルコンピュータやスキャナなどの外部装置とデータ入力端子を介して接続して、この外部装置から表示画像データを入力するようにしてもよい。
【０１１９】
また、上記実施形態においては、表示装置２０３が、当該装置１台で、遊技機島に設置された全てのパチンコ機１台毎に情報を表示するものを示した。しかし、複数台の表示装置で遊技機島に設置された全てのパチンコ機１台毎に情報を表示するようにしてもよい。即ち、図９では、表示装置２０３は１台で、遊技機島２１０に設置された８台全てのパチンコ機２１１のそれぞれに対応した情報を表示した。しかし、例えば、４台のパチンコ機２１１に対応して情報を表示する表示装置を２台、遊技機島２１０に設置することにより、８台全てのパチンコ機２１１のそれぞれに対応した情報を表示するようにしてもよい。
【０１２０】
また、上記実施形態においては、表示装置３が遊技機島１０に設置されるものを示したが、パチンコ機本体に設置されるようにしてもよい。
また、上記実施形態においては、表示装置３を、パチンコ機を設置した遊技機島に適用したが、スロット遊技機など、他の種類の遊技機が設置された遊技機島に適用してもよい。
【図面の簡単な説明】
【０１２１】
【図１】実施形態における表示システム１の構成を説明する図、および表示装置３の配置を示す正面図。
【図２】実施形態における表示装置３の構成を説明する図。
【図３】実施形態における表示システム１の電気的構成を示すブロック図。
【図４】実施形態における表示画像データ送信処理手順を示すフローチャート。
【図５】実施形態における表示処理手順を示すフローチャート。
【図６】実施形態における紫外線照射処理，赤色光照射処理，青色光照射処理，緑色光照射処理手順を示すフローチャート。
【図７】実施形態における表示画像データを示す図。
【図８】実施形態における表示装置３の表示画面を示す図。
【図９】別の実施形態における表示装置２０３を示す図。
【符号の説明】
【０１２２】
１…表示システム、３，２０３…表示装置、５…制御装置、７…リモコン、１０，２１０…遊技機島、１１，２１１…パチンコ機、１３…呼出ボタンユニット、３１，２３１…透光板、３３…リモコンセンサ、３５，２３５…電子ペーパ、３５ａ，２３５ａ…書込部、３５ｂ…既書込部、３５ｃ…既書込部、３５ｄ，２３５ｄ…ベルト、３５ｅ…紫外線防止シート、３７…露光器、３９…紫外線照射器、４１…赤色光照射器、４３…青色光照射器、４５…緑色光照射器、４７…駆動ローラ、４９…従動ローラ、５１…コントローラ、６１，８１，１０１…ＣＰＵ、６３，８３，１０３…ＲＯＭ、６５，８５，１０５…ＲＡＭ、６７…入出力部、６９…ＨＤＤ、７１，８７…通信部、７３，１０７…ユーザＩ／Ｆ、７３ａ，１０７ａ…操作キー、７３ｂ…表示パネル、８９…入出力部、９１…モータ駆動回路、９３…モータ、９５…ローラ回転角センサ、１０９…リモコン信号送出部。
【図１】
2005168826.tif 000003
【図２】
2005168826.tif 000004
【図３】
2005168826.tif 000005
【図４】
2005168826.tif 000006
【図５】
2005168826.tif 000007
【図６】
2005168826.tif 000008
【図７】
2005168826.tif 000009
【図８】
2005168826.tif 000010
【図９】
2005168826.tif 000011